(57)【要約】 【課題】装飾枠をこじ開けたり装飾枠と他の枠体との隙間から針金等を侵入させても遊技盤面へのアクセスができず、装飾枠を開放して行われる不正遊技を効果的に防止し得る前面透明板の取付け構造及びその構造を有する遊技機を提供すること。【解決手段】この前面透明板１０の取付け構造は、遊技盤６に対して前面開閉可能に軸支されるとともに遊技盤６の前面周囲を装飾する装飾部材３２を保持する装飾枠１２と協働して遊技盤６の前面を覆い、遊技盤６に対する視認性を確保する前面透明板１０の取付け構造であって、前面透明板１０が装飾枠１２から独立して遊技盤６に対して前面開閉可能に軸支されるとともに、前面透明板１０の開放を防止するための係止爪８ａが遊技盤６又は遊技盤６を保持する機枠８のいずれかに設けられている。【選択図】図２
2008125844.tif 000002
【特許請求の範囲】
【請求項１】
遊技盤に対して前面開閉可能に軸支されるとともに該遊技盤の前面周囲を装飾する装飾部材を保持する装飾枠と協働して前記遊技盤の前面を覆い、前記遊技盤に対する視認性を確保する前面透明板の取付け構造であって、
該前面透明板が前記装飾枠から独立して前記遊技盤に対して前面開閉可能に軸支されるとともに、
該前面透明板の開放を防止するための係止爪が前記遊技盤又は該遊技盤を保持する機枠のいずれかに設けられている前面透明板の取付け構造。
【請求項２】
前記前面透明板が、
その幅方向一側面近傍に回転軸を有する第１リンク部材と、
その幅方向他側面近傍に前記遊技盤の盤面に沿って移動する移動端を有する第２リンク部材とによって保持され、
前記第１リンク部材と前記第２リンク部材とが、前記前面透明板の幅方向中央近傍で回転可能に連結されている請求項１に記載の前面透明板の取付け構造。
【請求項３】
前記装飾枠の軸支部の位置と前記第１リンク部材の回転軸の位置とが、相互に前記遊技盤の幅方向における反対側である請求項２に記載の前面透明板の取付け構造。
【請求項４】
遊技機全体を囲む筐体枠と、
球による遊技を演出する前記遊技盤と、
該遊技盤を保持し、前記筐体枠に対して前面開閉可能に軸支された機枠と、
前記遊技盤に対して一定距離離間して配置された前面透明板と、
該前面透明板を取り付けるための請求項１から請求項３のうちいずれか１項に記載の取付け構造と、
前記遊技盤の前面周囲を装飾する装飾部材を保持し、前記筐体枠の前方に配置されて前面開閉可能とされた装飾枠と、
前記球を貯留する貯留皿と、を有する遊技機。
【発明の詳細な説明】
【技術分野】
【０００１】
本発明は、前面透明板の取付け構造及び遊技機に係り、特に、パチンコ機等の遊技機において装飾枠を開放して行われる不正遊技を効果的に防止し得る前面透明板の取付け構造等に関する。
【背景技術】
【０００２】
パチンコ機等の弾球遊技機では、弾球された球が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このようなパチンコ機は、機器全体が複数の枠により囲まれるように構成されて、球の円滑な流下、遊技者による不正遊技防止、パチンコホールへの設置性の向上、メンテナンス性の向上、遊技の演出等様々な機能を実現している。
【０００４】
具体的には、筐体枠がパチンコ機全体の主に上下面及び左右側面を囲むように構成されている。この筐体枠は、一般に木材又は樹脂等で形成された枠体であって、全体として略直方体形状を呈してその前後面部分が大きく開口して略筒状とされ、例えて言えば「四角筒」様形状とされている。
【０００５】
そして、その筐体枠の前方、すなわち、遊技者側には機枠が配置されている。この機枠は、遊技盤を保持するための枠体であって、筐体枠に対して開閉及び施錠可能に揺動軸支されている。さらに、この機枠はその裏面側に景品球払出し装置、入賞球処理装置、球の各種通路を含む裏機構盤を保持している。
【０００６】
機枠のさらに前方には装飾枠が配置されている。この装飾枠は遊技者に直接対向する位置に配置された枠体であって、一般に、中央近傍に遊技盤を視認するための開口が形成されてその開口部分に例えば前面ガラス等の透明板を保持している。さらに装飾枠は前面ガラスの周囲に、遊技を演出するための造作物や色彩・模様が付されるとともに電飾用ランプや効果音発生用スピーカ等が設けられた装飾部材を保持している。
【０００７】
これらの枠体は、単独で又は協働して外部からの不正遊技を防止する機能を発揮している。すなわち、装飾枠及び前面ガラスが協働して遊技盤の前面を覆い、前面からの不正を防止している。そして、各枠体（筐体枠、機枠、装飾枠。）が協働してパチンコ機の左右側面及び上面を囲み、左右側面及び上面からの不正を防止している。
【０００８】
このような装飾枠や前面ガラスの取付け構造には、例えば特許文献１〜２に開示のものがある。この特許文献１には、一側端を支点として揺動開閉可能なガラス枠に対し、前面ガラスを横からスライドして挿入する構造が開示されている。また、特許文献２には、前面枠に係合離脱可能なガラス枠が開示されている。
【０００９】
【特許文献１】特開２００２−０３５３５０号公報
【特許文献２】特開２００３−１９０５４８号公報
【発明の開示】
【発明が解決しようとする課題】
【００１０】
しかしながら、装飾枠を勝手に開放したり、装飾枠と機枠（又は筐体枠。）との隙間から針金等を侵入させることにより、遊技盤面上の球を不正に入賞口に誘導したり入賞装置を不正に作動させたりする不正遊技が行われる場合がある。このような不正遊技が行われると、パチンコホールが不利益を被るのみならず、他の遊技者も安心して遊技を行うことができなくなる。
【００１１】
つまり、パチンコホールにとっては、不正遊技者による不正な景品球獲得による損害、装飾枠のこじ開けによるパチンコ機の破損、不正監視のための店員の増強等の多大な不利益が発生する場合がある。一方、他の遊技者にとっては、不正遊技者による不正景品球獲得に起因する自己の景品球数の減少、不正遊技者と間違われる虞に対する心理的不安等の不当な不利益が発生する可能性がある。
【００１２】
したがって、装飾枠をこじ開けたり隙間から針金等を侵入させても遊技盤面へのアクセスができず、不正遊技が殆ど不可能な構造やその構造を有するパチンコ機が必要とされていた。
【００１３】
しかし、上記特許文献１に開示のものでは、ガラス枠（装飾枠に相当。）に前面ガラスがスライド挿入され、ガラス枠とともに前面ガラスが開閉するので、ガラス枠を開放して遊技盤面に不正アクセスする不正遊技を阻止することができない。また、特許文献２に開示のものでは、ガラス枠が前面枠（装飾枠に相当。）に対して係合離脱可能となっているが、通常の遊技時においてガラス枠は前面枠側に係止されているので、やはり上記不正遊技を阻止する能力に欠ける。
【００１４】
本発明は上記の事情に鑑みて為されたもので、装飾枠をこじ開けたり装飾枠と他の枠体との隙間から針金等を侵入させても遊技盤面へのアクセスができず、装飾枠を開放して行われる不正遊技を効果的に防止し得る前面透明板の取付け構造及びその構造を有する遊技機を提供することを例示的課題とする。
【課題を解決するための手段】
【００１５】
上記の課題を解決するために、本発明の例示的側面としての前面透明板の取付け構造は、遊技盤に対して前面開閉可能に軸支されるとともに遊技盤の前面周囲を装飾する装飾部材を保持する装飾枠と協働して遊技盤の前面を覆い、遊技盤に対する視認性を確保する前面透明板の取付け構造であって、前面透明板が装飾枠から独立して遊技盤に対して前面開閉可能に軸支されるとともに、前面透明板の開放を防止するための係止爪が遊技盤又は遊技盤を保持する機枠のいずれかに設けられていることを特徴とする。
【００１６】
前面透明板が装飾枠から独立して遊技盤に対して前面開閉可能に軸支されており、その開放を防止する係止爪が遊技盤又は機枠に設けられているので、例え遊技者が不正に装飾枠を開放した場合でも、前面透明板は遊技盤に対して閉鎖状態を維持することができる。したがって、装飾枠を不正に開放されても、装飾枠と他の枠体との隙間から針金等が侵入されても、遊技者が遊技盤に不正にアクセスすることはできない。
【００１７】
ここで、前面又は前方とは、遊技機から見て遊技者側の方向を意味する。「前面透明板が装飾枠から独立して」とは、前面透明板の開閉が装飾枠の開閉に影響されないことを意味する。すなわち、装飾枠が開放となっても、前面透明板が閉鎖状態を維持することができる状態を言う。また、前面透明板は一般にはガラスを材料とするが、遊技者の前面からの遊技盤面へのアクセスを防止する機能と遊技者の視認性を確保する機能とを満足すればよく、例えば透明樹脂を材料としてもよい。
【００１８】
前面透明板が、その幅方向一側面近傍に回転軸を有する第１リンク部材と、その幅方向他側面近傍に遊技盤の盤面に沿って移動する移動端を有する第２リンク部材とによって保持され、第１リンク部材と第２リンク部材とが、前面透明板の幅方向中央近傍で回転可能に連結されていてもよい。これにより、前面透明板を開放するときは各リンク部材が折り畳まれるように動作して前面透明板が遊技盤の前方に直立する。単純なリンク構造によって前面透明板の開閉を実現できるので、構造が簡単になってスペース設計上の自由度を増すことができる上に、部品コスト低減にも寄与することができる。開閉に伴う前面透明板の回転モーメントを小さくすることもできるので、開閉動作がスムーズになる上に、他の部材と衝突した場合の損壊を最小限に低減することができる。
【００１９】
装飾枠の軸支部の位置と第１リンク部材の回転軸の位置とが、相互に遊技盤の幅方向における反対側であってもよい。軸支部や回転軸は、装飾枠や前面透明板を動作可能に保持する部分であるので、複数の部品や高い強度の部品が必要である。しかし、それぞれを遊技盤の幅方向における反対側（すなわち、左右反対側。）に配置すれば、相互の部品どうしが干渉することもなく、配置スペースに余裕が生まれ、設計の自由度が増す。
【００２０】
本発明の他の例示的側面としての遊技機は、遊技機全体を囲む筐体枠と、球による遊技を演出する遊技盤と、遊技盤を保持し、筐体枠に対して前面開閉可能に軸支された機枠と、遊技盤に対して一定距離離間して配置された前面透明板と、前面透明板を取り付けるための上記の取付け構造と、遊技盤の前面周囲を装飾する装飾部材を保持し、筐体枠の前方に配置されて前面開閉可能とされた装飾枠と、球を貯留する貯留皿と、を有することを特徴とする。
【００２１】
この遊技機は上記の前面透明板の取付け構造を有しており、装飾枠の不正開放や隙間からの針金等の侵入による不正遊技を効果的に阻止することができるので、パチンコホールの経営者や店員が安心して遊技を提供することができる。この遊技機をパチンコホールに設置することにより、不正遊技を試みる遊技者をパチンコホールから遠ざけることができ、結果的に他の遊技者も安心して遊技を行うことができる。
【００２２】
本発明の更なる目的又はその他の特徴は、以下添付図面を参照して説明される好ましい実施の形態によって明らかにされるであろう。
【発明の効果】
【００２３】
本発明によれば、装飾枠を遊技盤から開放させた状態であっても前面透明板を遊技盤に対して閉鎖状態に維持することができる。したがって、装飾枠をこじ開けたり装飾枠と他の枠体との隙間から針金等を侵入させたりしても遊技盤面へ不正にアクセスすることができないので、装飾枠を開放して行われる不正遊技を効果的に防止することができる。結果として、パチンコホールの経営者や店員が安心して遊技を提供することができるとともに、遊技者が安心して遊技を行うことができる。
【発明を実施するための最良の形態】
【００２４】
［実施の形態１］
以下、本発明の実施の形態１について図面を用いて説明する。図１は、本発明の実施の形態１に係る前面透明板の取付け構造を有する遊技機としてのパチンコ機２の外観を示す外観斜視図である。パチンコ機２は、筐体枠４、遊技盤（遊技装置体）６、機枠８、前面透明板１０、装飾枠１２、ヒンジ部１８、上皿（貯留皿）１４を有して構成されている。パチンコ機２は、さらに、球発射装置（図示せず。）、発射ハンドル１６を有している。
【００２５】
パチンコ機２は、組合せ式パチンコ機、封入循環式パチンコ機等を含む。また、遊技機としてはパチンコ機の他に、遊技媒体としてコインを使用するパチスロ機やスロットマシン、各種ゲーム機やアーケードマシン等が概念できる。
【００２６】
筐体枠４は、このパチンコ機２全体を囲むための枠体であり、全体として略直方体形状を呈してその前後面部分が大きく開口して略筒状とされている。筐体枠４の材料としては木材や樹脂が用いられる場合もあるが、本実施の形態１においては、筐体枠４の材料としてアルミニウムが用いられている。
【００２７】
この筐体枠４は、全体をダイキャスト等により一体成形することももちろん可能である。しかしながら、上面４ａ、下面４ｂ、左側面４ｃ、右側面４ｄをそれぞれ押出成形によって形成し、それぞれの端部を連結して筐体枠４とすれば、より一層部品コストを低減することができる。
【００２８】
この筐体枠４の前方（すなわち、遊技者側。）から見て左側面４ｃ側には機枠８及び装飾枠１２を揺動軸支するためのヒンジ部（軸支部）１８が設けられている。例えば、左側面４ｃに近い側の上面４ａ及び下面４ｂに軸孔４ｇが形成されたブラケット４ｆが取り付けられ、その軸孔４ｇに機枠８や装飾枠１２の支持軸が嵌合されて前面開閉可能とされている。
【００２９】
遊技盤６は、このパチンコ機２において、遊技媒体としての球２０による遊技を演出するためのものである。遊技盤６はレール部材２２を有している。このレール部材２２が遊技盤面６ａを略円形状に囲み、それにより遊技領域６ｂの周囲が画定されている。レール部材２２は、例えば板金材料等の薄板材料によって構成される場合もあるが、本実施の形態１においては、レール部材２２は樹脂成形による部材であり、例えばその飾り部２２ａに遊技を演出するための装飾図柄が施され、その球案内部２２ｂが球２０を遊技領域６ｂに向けて導くように構成されている。
【００３０】
その遊技領域６ｂ内には多数のゲージ２４、入賞口２６、図柄表示装置２８、アウト口３０、その他の各種役物が配置されている。図示しない球発射装置により球２０が遊技領域６ｂ内の上部に向けて発射されると、球２０がゲージ２４に衝突してその流下方向を変えつつ遊技領域６ｂ内を流下するようになっている。その流下の途中で、あるものは入賞口２６に入賞して景品球払出しの契機となり、あるものは図柄表示装置２８による図柄変動遊技開始の契機となり、また、あるものはいずれの入賞口２６にも入賞せずにアウト口３０からパチンコ機２の外部へと排出される。このように、遊技領域６ｂ内を球２０が流下する際に、様々な遊技が演出されるようになっている。
【００３１】
遊技盤６の裏面側には入賞口２６に入賞した入賞球やアウト口３０に流入したアウト球を排出するための球通路、図柄表示装置２８の図柄表示制御を行う図柄表示制御基板（図示せず。）、各種役物の動作制御を行う役物制御基板が配置されるが詳細は省略する。
【００３２】
機枠８は、遊技盤６を保持するための枠体であり、その中央近傍に遊技盤６を取り付けるための取付け開口が形成されている。取付け開口の周囲に遊技盤６を着脱可能に取り付けるための取付け部を有し、機枠８は遊技盤６の周囲を囲むように構成されている。その機枠８は、筐体枠４の前面側に配置されてヒンジ部１８において筐体枠４に軸支され、筐体枠４に対して前面開閉可能に揺動軸支されている。機枠８は、樹脂又は金属によって形成され、その裏面側には裏機構盤（図示せず。）が配置される。その裏機構盤には、入賞球を計数して排出処理する入賞球処理装置（図示せず。）、景品球を計数して払い出す景品球払出し装置（図示せず。）等が配置されている。
【００３３】
前面透明板１０は、遊技盤６に対して一定距離離間して配置された透明板である。前面透明板１０は透明平板で形成され、遊技盤６との間に球２０が流下する流下空間（流下路）を形成する機能、遊技者が前面透明板１０を通して遊技盤６を視認できるように視認性を確保する機能、遊技者が遊技盤面６ａに不正にアクセス（接触）できないように不正アクセスを防止する機能、を発揮する。そのため、前面透明板１０の素材としては一般にガラスが使用されるが、もちろん透明アクリル等の樹脂材料が使用されてもよい。
【００３４】
この前面透明板１０の取付け構造について図２を用いて説明する。図２（ａ），図２（ｂ）は、この前面透明板１０の取付け構造の概略構造を示す斜視図である。
【００３５】
この取付け構造においては、前面透明板１０は、装飾枠１２から独立して遊技盤６に対して前面開閉可能に軸支されている。すなわち、図１に示すように装飾枠１２が開放状態であっても、前面透明板１０は遊技盤６に対して閉鎖状態を維持することができるようになっている。この状態において、遊技盤６が有するレール部材２２に設けられた係止爪８ａによって前面透明板１０を係止保持することにより、前面透明板１０の開放が防止される。したがって、例え遊技者が不正に装飾枠１２をこじ開けても前面透明板１０を開放することができず、遊技盤面６ａへ不正アクセスできないようになっている。
【００３６】
この係止爪８ａは、もちろん遊技に支障のない取付け位置が選択されれば、遊技盤６に直接設けられていてもよい。この前面透明板１０の閉鎖状態において、特にその右側面１０ｄ側が遊技盤６、機枠８又はレール部材２２のいずれかと密着するように構成されていれば、針金等の異物による遊技盤面６ａへの不正アクセスも有効に防止することができる。
【００３７】
前面透明板１０の上面１０ａには、第１リンク部材９が取り付けられている。この第１リンク部材９は、前面透明板１０を直接的に保持するためのリンク部材であり、例えば金属製又は樹脂製のステー部材であってもよい。第１リンク部材９は、その一端部９ａが前面透明板１０の右側面１０ｄ近傍で回転軸９ｂを中心として回転可能に軸支されている。そして、第１リンク部材９の他端部９ｃは前面透明板１０の幅方向中央近傍で第２リンク部材１１と連結されている。ここで前面透明板１０の幅方向は前面透明板１０の左右方向を意味し、左側面１０ｃと右側面１０ｄとを結ぶ方向（図２（ａ）中の矢印Ｘ方向。）である。
【００３８】
第２リンク部材１１は、前面透明板１０を間接的に、すなわち第１リンク部材９を介して保持するためのリンク部材であり、例えば金属製又は樹脂製のステー部材であってもよい。第２リンク部材１１の一端部１１ａは、第１リンク部材９の他端部９ｃと回転可能に連結されている。そして第２リンク部材１１の他端部（移動端）１１ｂは、前面透明板１０の右側面１０ｄ近傍に配置されている。
【００３９】
その他端部１１ｂは、飾り部２２ａに取り付けられたガイド部材１３のガイド孔１３ａに遊嵌され、遊技盤面６ａに沿ってその幅方向にスライド移動可能とされている。したがって、係止爪８ａの係止を解除し、第２リンク部材１１の他端部１１ｂを右側面１０ｄ側へとスライド移動させると、図２（ｂ）に示すように前面透明板１０の左側面１０ｃが回転軸９ｂを中心に回転しつつ遊技盤６の右側へと移動し、直立するように開放状態となる。
【００４０】
この前面透明板１０の取付け構造においては、前面透明板１０及び第１、第２リンク部材９，１１によって開閉構造が構成されており、構造が簡単で部品数も少なく、各部品の重量も軽量であるので、スペース設計上の自由度を増大させることができる。しかも、ヒンジ部１８の位置と回転軸９ｂの位置とが相互に遊技盤６の幅方向における反対側となっているので、部品相互の干渉の虞が殆どなく、スペース設計上の自由度を更に増大させることができる。
【００４１】
装飾枠１２は、遊技盤６の前面周囲を囲んで装飾する装飾部材３２を保持するための枠体である。本実施の形態１においては、装飾枠１２は、機枠８の前方に配置されてヒンジ部１８において機枠８とともに筐体枠４に軸支され、筐体枠４に対して前面開閉可能に揺動軸支されている。その装飾枠１２は、例えば樹脂によって形成され、その中央部には遊技者が前面透明板１０に臨むため開口部が形成されている。開口部の周囲には、パチンコ機２を装飾するための造形物や電飾用ランプ等が付された装飾部材３２が取り付けられ、パチンコ機２の遊技演出に寄与している。
【００４２】
この装飾枠１２は、施錠装置１によって筐体枠４と閉鎖状態に施錠可能となっている。閉鎖状態においては、装飾枠１２が前面透明板１０と協働して遊技盤６の前面側を覆うようになっている。それにより、遊技盤面６ａ上の球２０の流下路が形成されるとともに遊技者が前面から遊技盤６へとアクセスできないようになっている。
【００４３】
上皿１４は、球２０を球発射装置に導くべく貯留するためのもので、下皿１５とともに遊技者の持ち球を貯留する機能を有する。上皿１４は、パチンコ機２の前面であって遊技盤６の下方、すなわち、装飾枠１２の下方部分に配置され、下皿１５は、その上皿１４のさらに下方に配置されている。本実施の形態１においては、上皿１４と下皿１５とを別々に構成しているが、もちろん上皿１４と下皿１５とが一体となって１つの貯留皿が構成されていてもよい。
【００４４】
上皿１４は、景品球としてパチンコ機２から払い出された球２０を受け取る機能や、その球２０を球供給装置（いわゆる整流器、図示せず。）を介して球発射装置に導くべく貯留する機能を有している。また、球２０が多量となって上皿１４に貯留し切れなくなった場合や遊技者が遊技を終了する場合に、球排出ボタン１４ｂによって下皿１５へと球２０を排出することができるようになっている。
【００４５】
図示しない球発射装置は、遊技媒体としての球（パチンコ球）２０を遊技領域６ｂの上部に向けて発射（弾球）するためのものである。球発射装置は、例えば発射位置に送り出された球２０を遊技領域６ｂに向けて弾球する発射杆、その発射杆を駆動して弾球往復動を行わせる発射モータ、発射杆を付勢して弾球のための力を発生させる発射バネ等を有してユニット構成され、機枠８に取り付けられている。
【００４６】
発射ハンドル１６は、球発射装置による弾球強度を調整するためのハンドルであって、遊技者が手で操作するためのものである。例えば、パチンコ機２の前面下部右側に配置されて略円筒形状を呈しており、円筒周面に沿ってその強度調整杆１６ａが回転可能となっている。遊技者は、発射ハンドル１６を手で保持しつつ、強度調整杆１６ａを回転させることにより、球２０の発射強度を調整することができるようになっている。
【００４７】
なお、本実施の形態１においては、遊技機としてのパチンコ機２について説明したが、もちろん上述のように、遊技機としてはパチスロ機やスロットマシン、各種ゲーム機やアーケードマシン等が概念できる。ここで、パチスロ機やスロットマシンの場合は、コインが遊技媒体に相当し、回胴体が遊技装置体に相当する。
【００４８】
また、本実施の形態１においては、回転軸９ｂを前面透明板１０の右側面１０ｄ近傍（ヒンジ部１８と反対側。）に配置し、移動端としての他端部１１ｂを前面透明板１０の左側面１０ｃ近傍に配置している。しかしながら、設計上の都合に応じて回転軸９ｂを前面透明板１０の左側面１０ｃ近傍（ヒンジ部１８と同側。）に配置し、移動端としての他端部１１ｂを前面透明板１０の右側面１０ｄ近傍に配置してももちろんよい。
【００４９】
［実施の形態２］
図３（ａ），（ｂ）は、本発明の実施の形態２に係る前面透明板１０の取付け構造の概略構造を示す斜視図である。この実施の形態２においては、前面透明板１０の上面１０ａに第２リンク部材１１が取り付けられ、第２リンク部材１１が前面透明板１０を直接的に保持している。そして、第２リンク部材１１の一端部１１ａに第１リンク部材９が回転可能に連結され、第１リンク部材９が第２リンク部材１１を介して前面透明板１０を保持している。
【００５０】
このように構成することで、図３（ａ）に示す閉鎖状態から図３（ｂ）に示す開放状態に移行する際に、前面透明板１０の左側面１０ｃが右側面１０ｄの後方に潜り込むように移動する。前面透明板１０の回転に伴ってその重心も左から右へと移動（図３（ｂ）中矢印Ｙ方向。）するので、開閉動作の際の前面透明板１０の回転モーメントが小さくなり、開閉動作がスムーズになる上に、他の部材と衝突した場合の損壊を最小限に低減することができる。
【００５１】
以上、本発明の好ましい実施の形態を説明したが、本発明はこれらに限定されるものではなく、その要旨の範囲内で様々な変形や変更が可能である。
【図面の簡単な説明】
【００５２】
【図１】本発明の実施の形態１に係る前面透明板の取付け構造を有するパチンコ機の外観斜視図である。
【図２】本発明の実施の形態１に係る前面透明板の取付け構造の概略構造を示す斜視図であって、（ａ）は前面透明板の閉鎖状態を示し、（ｂ）は前面透明板の開放状態を示す。
【図３】本発明の実施の形態２に係る前面透明板の取付け構造の概略構造を示す斜視図であって、（ａ）は前面透明板の閉鎖状態を示し、（ｂ）は前面透明板の開放状態を示す。
【符号の説明】
【００５３】
Ｘ，Ｙ：方向
１：施錠装置
２：パチンコ機（遊技機）
４：筐体枠
４ａ：上面
４ｂ：下面
４ｃ：左側面
４ｄ：右側面
４ｆ：ブラケット
４ｇ：軸孔
６：遊技盤（遊技装置体）
６ａ：遊技盤面
６ｂ：遊技領域
８：機枠
８ａ：係止爪
９：第１リンク部材
９ａ：一端部
９ｂ：回転軸
９ｃ：他端部
１０：前面透明板
１０ａ：上面
１０ｃ：左側面
１０ｄ：右側面
１１：第２リンク部材
１１ａ：一端部
１１ｂ：他端部（移動端）
１２：装飾枠
１３：ガイド部材
１３ａ：ガイド孔
１４：上皿（貯留皿）
１４ｂ：球排出ボタン
１５：下皿
１６：発射ハンドル
１６ａ：強度調整杆
１８：ヒンジ部（軸支部）
２０：球（遊技媒体）
２２：レール部材
２２ａ：飾り部
２２ｂ：球案内部
２４：ゲージ
２６：入賞口
２８：図柄表示装置
３０：アウト口
３２：装飾部材
【図１】
2008125844.tif 000003
【図２】
2008125844.tif 000004
【図３】
2008125844.tif 000005